(57)【要約】【課題】噴射された尿素水と排気ガスの混合を促進する。【解決手段】内燃機関の排気浄化装置は、内燃機関の排気ガスが流される排気通路と、排気通路に配置された触媒と、触媒の上流側に設けられ、排気通路内に還元剤を噴射する噴射弁１４と、噴射弁の下流側かつ触媒の上流側に位置する排気通路１０の内部に互いに離間して設けられた上流側仕切板３１Ａおよび下流側仕切板３１Ｂと、仕切板３１Ａ，３１Ｂにそれぞれ設けられた上流側貫通孔３３Ａおよび下流側貫通孔３３Ｂと、上流側貫通孔に連通して上流側仕切板に設けられた上流側パイプ３２Ａと、下流側貫通孔に連通して下流側仕切板に設けられた下流側パイプ３２Ｂとを備える。上流側パイプの出口部３４と下流側パイプの入口部３５とは、互いに非同軸の状態で配置されている。【選択図】図４
2019065783.tif 000002
【特許請求の範囲】
【請求項１】
内燃機関の排気ガスが流される排気通路と、
前記排気通路に配置された触媒と、
前記触媒の上流側に設けられ、前記排気通路内に還元剤を噴射する噴射弁と、
前記噴射弁の下流側かつ前記触媒の上流側に位置する前記排気通路の内部に互いに離間して設けられた上流側仕切板および下流側仕切板と、
前記上流側仕切板および前記下流側仕切板にそれぞれ設けられた上流側貫通孔および下流側貫通孔と、
前記上流側貫通孔に連通して前記上流側仕切板に設けられた上流側パイプと、
前記下流側貫通孔に連通して前記下流側仕切板に設けられた下流側パイプと、
を備え、
前記上流側パイプの出口部と前記下流側パイプの入口部とは、互いに非同軸の状態で配置されている
ことを特徴とする内燃機関の排気浄化装置。
【請求項２】
前記上流側パイプと前記下流側パイプは、前記上流側仕切板と前記下流側仕切板の間の空間内に突出されている
請求項１に記載の内燃機関の排気浄化装置。
【請求項３】
前記上流側パイプの出口部と前記下流側パイプの入口部とは、上下流方向に互いにオーバーラップされている
請求項２に記載の内燃機関の排気浄化装置。
【請求項４】
前記上流側パイプと前記下流側パイプは互いに接触されている
請求項２または３に記載の内燃機関の排気浄化装置。
【請求項５】
前記上流側仕切板および前記下流側仕切板の少なくとも一方は、前記排気通路の中心軸に垂直な方向に対し傾斜されている
請求項１〜４のいずれか一項に記載の内燃機関の排気浄化装置。
【発明の詳細な説明】
【技術分野】
【０００１】
本発明は内燃機関の排気浄化装置に係り、特に、ディーゼルエンジンに主に適用される排気浄化装置に関する。
【背景技術】
【０００２】
ディーゼルエンジンの排気通路には、排気中のＮＯｘ（窒素酸化物）を還元除去する選択還元型ＮＯｘ触媒が設けられる。ＮＯｘ触媒の上流側には尿素水を噴射する噴射弁が設けられる。ＮＯｘ触媒は、尿素水を加水分解して得られるアンモニアＮＨ3とＮＯｘを反応させ、排気中のＮＯｘを窒素Ｎ2に還元する。
【先行技術文献】
【特許文献】
【０００３】
【特許文献１】国際公開第２０１０／０５３０３３号
【特許文献２】特開２００８−１４４６４４号公報
【特許文献３】特開２００６−７７５７６号公報
【発明の概要】
【発明が解決しようとする課題】
【０００４】
ＮＯｘ触媒を高効率で作動させるには、尿素水の加水分解を促進し、尿素水の単位容量当たりのアンモニア生成量すなわちアンモニア生成効率をできるだけ高い水準に維持することが望ましい。そして尿素水の加水分解を促進するためには、排気通路内に噴射された尿素水と排気ガスの混合を可能な限り促進することが好ましい。
【０００５】
そこで本発明は、かかる事情に鑑みて創案され、その目的は、噴射された尿素水と排気ガスの混合を促進できる内燃機関の排気浄化装置を提供することにある。
【課題を解決するための手段】
【０００６】
本発明の一の態様によれば、
内燃機関の排気ガスが流される排気通路と、
前記排気通路に配置された触媒と、
前記触媒の上流側に設けられ、前記排気通路内に還元剤を噴射する噴射弁と、
前記噴射弁の下流側かつ前記触媒の上流側に位置する前記排気通路の内部に互いに離間して設けられた上流側仕切板および下流側仕切板と、
前記上流側仕切板および前記下流側仕切板にそれぞれ設けられた上流側貫通孔および下流側貫通孔と、
前記上流側貫通孔に連通して前記上流側仕切板に設けられた上流側パイプと、
前記下流側貫通孔に連通して前記下流側仕切板に設けられた下流側パイプと、
を備え、
前記上流側パイプの出口部と前記下流側パイプの入口部とは、互いに非同軸の状態で配置されている
ことを特徴とする内燃機関の排気浄化装置が提供される。
【０００７】
好ましくは、前記上流側パイプと前記下流側パイプは、前記上流側仕切板と前記下流側仕切板の間の空間内に突出されている。
【０００８】
好ましくは、前記上流側パイプの出口部と前記下流側パイプの入口部とは、上下流方向に互いにオーバーラップされている。
【０００９】
好ましくは、前記上流側パイプと前記下流側パイプは互いに接触されている。
【００１０】
好ましくは、前記上流側仕切板および前記下流側仕切板の少なくとも一方は、前記排気通路の中心軸に垂直な方向に対し傾斜されている。
【発明の効果】
【００１１】
本発明によれば、噴射された尿素水と排気ガスの混合を促進できる。
【図面の簡単な説明】
【００１２】
【図１】本発明の第１実施形態に係る排気浄化装置の全体構造を示す縦断側面図である。
【図２】排気浄化装置の縦断後面図であり、図１のＩＩ−ＩＩ断面図である。
【図３】排気浄化装置の縦断前面図であり、図１のＩＩＩ−ＩＩＩ断面図である。
【図４】第２通路の内部の構成を示す縦断側面図である。
【図５】図４のＶ−Ｖ断面図である。
【図６】第２実施形態における第２通路の内部の構成を示す縦断側面図である。
【図７】図６のＶＩＩ−ＶＩＩ断面図である。
【図８】第３実施形態における第２通路の内部の構成を示す縦断側面図である。
【図９】図８のＩＸ−ＩＸ断面図である。
【発明を実施するための形態】
【００１３】
以下、添付図面を参照して本発明の実施形態を説明する。なお本発明は以下の実施形態に限定されない点に留意されたい。
【００１４】
［第１実施形態］
図１〜図３に、本発明の第１実施形態に係る排気浄化装置の全体構造を示す。図１は縦断側面図（図２のＩ−Ｉ断面図）、図２は縦断後面図（図１のＩＩ−ＩＩ断面図）、図３は縦断前面図（図１のＩＩＩ−ＩＩＩ断面図）である。便宜上、直交三軸の各方向、すなわち前後左右上下の各方向を図示の如く定める。但しこれら各方向が図示の配置に関して説明の便宜上定められたものに過ぎない点に留意されたい。
【００１５】
排気浄化装置が適用される内燃機関（図示せず、エンジンともいう）は、車両に搭載されるディーゼルエンジンである。車両（図示せず）はトラック等の大型車両である。但し車両および内燃機関の種類、用途等に限定はなく、例えば車両は乗用車等の小型車両であってもよいし、エンジンはガソリンエンジンであってもよい。
【００１６】
図示するように、排気浄化装置１は、後述する複数の部材（触媒等）をコンパクトに纏めてキャニング（canning）状態で収容する密閉箱型のケーシング２を備える。本実施形態のケーシング２は直方体形状とされる。ケーシング２の後端壁２Ｒには、ケーシング２内にエンジンの排気ガスＧを導入するための装置入口管３と、ケーシング２内から排気ガスＧを排出するための装置出口管４とが取り付けられている。但し装置入口管３と装置出口管４の設置位置は任意に設定できる。
【００１７】
ケーシング２内では、金属製（本実施形態ではステンレス製）の複数の管および板が溶接等で取り付けられることにより、適宜空間が仕切られ、これにより排気ガスＧが流される排気通路５が画成されている。ここで「排気通路」とは、排気ガスＧが流される任意の空間をいい、その形状は任意である。管状であってもよいしチャンバ状であってもよい。排気通路５は排気ガスＧを前後方向に複数回折り返すように構成されている。
【００１８】
ケーシング２内には、ケーシング２内を前後に仕切る前側隔壁板６と後側隔壁板７とが設けられている。前側隔壁板６とケーシング２の前端壁２Ｆとの間に前端チャンバ８Ｆが画成されている。後側隔壁板７とケーシング２の後端壁２Ｒとの間に後端チャンバ８Ｒが画成されている。前側隔壁板６と後側隔壁板７の間に中間チャンバ８Ｍが画成されている。
【００１９】
以下、ケーシング２内における排気ガスＧのメインの流れを概略説明する。このメインの流れは図１〜図３に矢示する通りである。
【００２０】
装置入口管３内を前方に流れてきた排気ガスは、そのまま、ケーシング２内左下に配置され前後方向に延びる第１通路９内を直進し、このときに第１酸化触媒２１とフィルタ２２を順に通過する。その後排気ガスは、前端チャンバ８Ｆ内に配置された送り管１９Ｐ内の送り通路１９を通じて、ケーシング２内中心部に配置された混合通路としての第２通路１０内に入る。このときに排気ガスは前向きから後向きへ折り返される。そして排気ガスは、第２通路１０内を前方から後方に流れた後、後端チャンバ８Ｒ内に入り、ここで図２に示すように二方向に分岐して、ケーシング２内右下に配置された第３通路１１と、ケーシング２内左上に配置された第４通路１２とに入る。このときに排気ガスは後向きから前向きへ折り返される。
【００２１】
排気ガスは、第３および第４通路１１，１２内を後方から前方に流れ、このときにＮＯｘ触媒２３と第２酸化触媒２４を順に通過する。その後排気ガスは、前端チャンバ８Ｆ内に入り、図３に示すように、ケーシング２内右上に配置された第５通路１３へと集約される。このときに排気ガスは前向きから後向きへ折り返される。その後排気ガスは、第５通路１３内を前方から後方に流れ、そのまま装置出口管４へと直進して排出される。
【００２２】
このように排気通路５は、第１通路９、第２通路１０、第３通路１１、第４通路１２、第５通路１３、送り通路１９、前端チャンバ８Ｆおよび後端チャンバ８Ｒを含む。
【００２３】
第２通路１０の上流端の位置には、還元剤としての尿素水を噴射する噴射弁１４が設けられている。噴射弁１０は、第２通路１０と同軸に後向きに配置され、第２通路１０の軸方向後方に向かって尿素水を噴霧状に噴射する。
【００２４】
噴射弁１４は、尿素水の供給対象物である選択還元型ＮＯｘ触媒２３の上流側に配置される。そして噴射弁１４の下流側かつＮＯｘ触媒２３の上流側に位置する第２通路１０は、噴射弁１０から噴射された尿素水を排気ガスと混合させる混合通路としての役割を果たす。
【００２５】
排気通路５には４種類の後処理部材、すなわち第１酸化触媒２１、フィルタ２２、選択還元型ＮＯｘ触媒２３および第２酸化触媒２４が、上流側から順に直列に設けられている。
【００２６】
第１酸化触媒２１は、排気ガス中の未燃成分（炭化水素ＨＣおよび一酸化炭素ＣＯ）を酸化して浄化すると共に、このときの反応熱で排気ガスを加熱昇温する。
【００２７】
フィルタ２２は、所謂ディーゼルパティキュレートフィルタ（DPF: Diesel Particulate Filter）または触媒付煤フィルタ（CSF: Caterized Soot Filter）と称されるもので、触媒を担持した連続再生式フィルタである。フィルタ２２は、ウォールフロー型とされ、排気中に含まれる粒子状物質（以下PM: Particulate Matterという）を捕集すると共に、捕集したＰＭを触媒反応により連続的に酸化して燃焼除去する。
【００２８】
選択還元型ＮＯｘ触媒（SCR: Selective Catalytic Reduction）２３は、尿素水を加水分解して得られるアンモニアＮＨ3とＮＯｘを反応させ、排気中のＮＯｘを窒素Ｎ2に還元する。
【００２９】
第２酸化触媒２４は、アンモニアスリップ酸化触媒とも称され、ＮＯｘ触媒２３から排出された（スリップした）余剰アンモニアを酸化除去する。
【００３０】
本実施形態において、ＮＯｘ触媒２３および第２酸化触媒２４の組み合わせは、第３通路１１と第４通路１２に互いに並列して計二つ設けられる。また図１に示すように、各組み合わせにおいて、ＮＯｘ触媒２３は上流側担体２３Ａの全体と、下流側担体２３Ｂの上流側部分とに形成され、第２酸化触媒２４は下流側担体２３Ｂの下流側部分にゾーンコートにより形成されている。但し両触媒の担体を個別にしても構わない。
【００３１】
第１〜第５通路９〜１３および送り通路１９は、第１〜第５通路管９Ｐ〜１３Ｐおよび送り通路管１９Ｐにより画成されている。本実施形態において、第１〜第４通路９〜１２は直線状かつ断面円形、送り通路１９は直線状かつ断面長円形とされている。また第５通路１３は例えば図２に示すように、ケーシング２の右上コーナー部に直線状に形成されている。各通路に対応する各管も同じ形状である。しかしながら各通路および各管の形状は適宜変更可能である。
【００３２】
排気流れ方向に沿って、第１通路管９Ｐは後端壁２Ｒから前端壁２Ｆまで延び、第２通路管１０Ｐは前端壁２Ｆから後側隔壁板７まで延び、第３通路管１１Ｐおよび第４通路管１２Ｐは後側隔壁板７から前側隔壁板６まで延び、第５通路管１３Ｐは前側隔壁板６から後端壁２Ｒまで延びている。従って、前端チャンバ８Ｆ内は、第１通路９の部分と、第２通路１０の部分と、送り通路１９の部分と、それ以外の部分とに仕切られる。また後端チャンバ８Ｒ内は、第１通路９の部分と、第５通路１３の部分と、それ以外の部分とに仕切られる。
【００３３】
次に、図４を参照して、本実施形態の主な特徴である第２通路１０の内部の構成を説明する。
【００３４】
前述したように、第２通路１０の上流端には後方に向かって尿素水Ｕを噴射する噴射弁１４が設けられている。そして前端チャンバ８Ｆ内に位置する第２通路１０の左下側面部には送り通路１９が接続され、ここから第２通路１０内に排気ガスＧが導入される。
【００３５】
尿素水噴霧と排気ガスＧは第２通路１０内を後方下流側に進むにつれて次第に混合されていく。本実施形態ではこうした混合を促進するため、次の構成が採用されている。
【００３６】
第２通路１０の内部には、上下流方向に互いに離間して設けられた上流側仕切板３１Ａおよび下流側仕切板３１Ｂと、上流側仕切板３１Ａに設けられた上流側パイプ３２Ａと、下流側仕切板３１Ｂに設けられた下流側パイプ３２Ｂとが配置される。上流側仕切板３１Ａおよび下流側仕切板３１Ｂにはそれぞれ上流側貫通孔３３Ａおよび下流側貫通孔３３Ｂが設けられ、上流側パイプ３２Ａおよび下流側パイプ３２Ｂはそれぞれ上流側貫通孔３３Ａおよび下流側貫通孔３３Ｂに連通接続されている。特に、上流側パイプ３２Ａの出口部３４と下流側パイプ３１Ｂの入口部３５とは、互いに非同軸の状態で配置されている。図中、上流側パイプ３２Ａの出口部３４の中心軸をＣ１で示し、下流側パイプ３１Ｂの入口部３５の中心軸をＣ２で示す。
【００３７】
上流側仕切板３１Ａおよび下流側仕切板３１Ｂは、それぞれ第２通路１０の内部を前後すなわち上下流側に仕切るものである。上流側仕切板３１Ａおよび下流側仕切板３１Ｂは、板材により形成され第２通路管１０Ｐの内周面に溶接等で固定されている。本実施形態の場合、上流側仕切板３１Ａおよび下流側仕切板３１Ｂは、第２通路１０の中心軸Ｃに垂直な方向に対し、傾斜角α１，α２で同一方向に傾斜されている。
【００３８】
上流側仕切板３１Ａは、上流側貫通孔３３Ａおよび上流側パイプ３２Ａが設けられる上側が下側に対し後方に位置するように傾斜されている。下流側仕切板３１Ｂは、下流側貫通孔３３Ｂおよび下流側パイプ３２Ｂが設けられる下側が上側に対し前方に位置するように傾斜されている。本実施形態ではα１＝α２であり、上流側仕切板３１Ａおよび下流側仕切板３１Ｂは互いに平行とされる。但しα１とα２は等しくなくてもよく、上流側仕切板３１Ａおよび下流側仕切板３１Ｂは平行でなくてもよい。また上流側仕切板３１Ａおよび下流側仕切板３１Ｂの少なくとも一方は傾斜されていなくてもよい。
【００３９】
上流側貫通孔３３Ａおよび下流側貫通孔３３Ｂは、上流側仕切板３１Ａおよび下流側仕切板３１Ｂを板厚方向に貫通して形成される。上流側貫通孔３３Ａおよび下流側貫通孔３３Ｂは、第２通路１０の中心軸Ｃに平行とされ、すなわち上流側仕切板３１Ａおよび下流側仕切板３１Ｂの板面に垂直な方向に対し傾斜角α１，α２に等しい角度だけ傾斜されている。図５に示すように、上流側貫通孔３３Ａおよび下流側貫通孔３３Ｂは、第２通路１０の中心軸Ｃに対し、上下方向に等しい距離Ｌ１，Ｌ２だけオフセットされている。但し上流側貫通孔３３Ａおよび下流側貫通孔３３Ｂは、このように上下に整列していなくてもよく、任意の方向に整列可能で、例えば左右に整列していてもよい。またオフセット距離Ｌ１，Ｌ２も、必ずしも等しくなくてもよく、互いに異なっていてもよい。
【００４０】
上流側パイプ３２Ａおよび下流側パイプ３２Ｂは、本実施形態ではいずれも断面円形かつ直管状のパイプにより形成され、上流側仕切板３１Ａおよび下流側仕切板３１Ｂの間の空間３６内に突出して配置されている。上流側パイプ３２Ａおよび下流側パイプ３２Ｂは、上流側貫通孔３３Ａおよび下流側貫通孔３３Ｂに同軸で連結される。従って上流側パイプ３２Ａおよび下流側パイプ３２Ｂも、第２通路１０の中心軸Ｃに平行に配置され、かつ、第２通路１０の中心軸Ｃに対し上下方向に等しい距離Ｌ１，Ｌ２だけオフセットして配置される。但し前記同様、上流側パイプ３２Ａおよび下流側パイプ３２Ｂも任意の方向に整列可能であり、またオフセット距離も任意に設定可能である。
【００４１】
上流側パイプ３２Ａおよび下流側パイプ３２Ｂの内外径は一定とされる。それらの内径は、上流側貫通孔３３Ａおよび下流側貫通孔３３Ｂの孔径と等しくされ、パイプと貫通孔の継ぎ目で段差が生じないようになっている。上流側パイプ３２Ａの入口端および下流側パイプ３２Ｂの出口端が斜めにカットされ、上流側仕切板３１Ａおよび下流側仕切板３１Ｂの空間３６内の表面に溶接等で固着される。従って上流側パイプ３２Ａおよび下流側パイプ３２Ｂは、上流側仕切板３１Ａおよび下流側仕切板３１Ｂから互いに向かい合うよう、空間３６内にのみ延びる。上流側パイプ３２Ａは上流側仕切板３１Ａから後方下流側に向かって延び、下流側パイプ３２Ｂは下流側仕切板３１Ｂから前方上流側に向かって延びる。但し変形例として、上流側パイプ３２Ａおよび下流側パイプ３２Ｂの少なくとも一方の一部が空間３６外に延びてもよい。
【００４２】
本実施形態の場合、上流側パイプ３２Ａの出口部３４と下流側パイプ３２Ｂの入口部３５とが、前後方向すなわち上下流方向に互いにオーバーラップされている。オーバーラップ長をＬで示す。但しこうしたオーバーラップは設けなくてもよい。
【００４３】
このように本実施形態では、直管状の上流側パイプ３２Ａおよび下流側パイプ３２Ｂが、互いに平行かつ非同軸の状態で、上流側仕切板３１Ａおよび下流側仕切板３１Ｂから互いに向かい合うように延びている。
【００４４】
第２通路１０内における排気ガスＧの流れは次の如きである。図４に矢示するように、送り通路１９から第２通路１０に導入された排気ガスＧは、上流側貫通孔３３Ａを通じて上流側パイプ３２Ａの中に入っていく。このとき、上流側貫通孔３３Ａが後方に位置するよう上流側仕切板３１Ａが傾斜されているので、排気ガスＧを上流側仕切板３１Ａの前面部に沿って流し、上流側貫通孔３３Ａにスムーズに案内することができる。
【００４５】
排気ガスＧは、上流側パイプ３２Ａの中を流れた後、出口部３４の向きに沿って後向きに排出される。その後、前方に向かって折り返し、下流側パイプ３２Ｂの入口部３５に向かう。下流側パイプ３２Ｂの入口部３５に入るとき、排気ガスＧは後方に向かって折り返し、その後、入口部３５の向きに沿って後向きに入口部３５内に浸入する。このように、出口部３４から出て入口部３５に入るまでの間に、排気ガスＧは２回折り返される。
【００４６】
排気ガスＧは、下流側パイプ３２Ｂの中を流れた後、出口部３８の向きに沿って後向きに下流側パイプ３２Ｂおよび下流側貫通孔３３Ｂから排出される。その後、第２通路１０内を流れ、後端チャンバ８Ｒ内に入る。下流側貫通孔３３Ｂが前方に位置するよう下流側仕切板３１Ｂが傾斜されているので、下流側貫通孔３３Ｂから排出された直後の排気ガスＧを、下流側仕切板３１Ｂの後面部にも沿って流し、下流側貫通孔３３Ｂからの排出をスムーズに行うことができる。
【００４７】
このように本実施形態では、上流側パイプ３２Ａの出口部３４と下流側パイプ３１Ｂの入口部３５とを互いに非同軸の状態で配置したので、上流側パイプ３２Ａの出口部３４から排出された排気ガスＧの流れが真っ直ぐに下流側パイプ３１Ｂの入口部３５に入ることを回避できる。そして上流側パイプ３２Ａの出口部３４から下流側パイプ３１Ｂの入口部３５までの間で、排気ガスＧの流れに曲がりを与えることができ、この曲がりにより、噴射された尿素水と排気ガスＧの混合を促進することができる。またこれにより、排気ガスによる尿素水の加熱を促進し、尿素水の加水分解を促進し、アンモニア生成効率を高め、ＮＯｘ触媒を高効率で作動させることが可能となる。そして排気浄化性能を高めることができる。
【００４８】
また本実施形態では、上流側パイプ３２Ａと下流側パイプ３２Ｂが、上流側仕切板３１Ａと下流側仕切板３１Ｂの間の空間３６内に突出されているので、この狭い空間３６内で排気ガスＧの流れを比較的複雑に曲げることができ、尿素水と排気ガスＧの混合を一層促進できる。
【００４９】
また本実施形態では、上流側パイプ３２Ａの出口部３４と下流側パイプ３２Ｂの入口部３５とが上下流方向に互いにオーバーラップされているので、上述の２回折り返す流れを確実に実現でき、尿素水と排気ガスＧの混合を一層促進できる。また限られた前後長範囲（空間３６）内で実質的な通路長を拡大し、尿素水と排気ガスＧの混合通路長を実質的に拡大できる。従ってスペースの有効利用を図れる。
【００５０】
また本実施形態では、上流側仕切板３１Ａおよび下流側仕切板３１Ｂが上述の如く傾斜されているので、排気ガスＧを上流側貫通孔３３Ａにスムーズに案内し、下流側貫通孔３３Ｂからの排気ガスＧの排出をスムーズに行うことができる。また仕切板表面上での尿素水の滞留を抑制し、その滞留に起因する堆積物の生成を抑制できる。
【００５１】
加えて、上流側仕切板３１Ａおよび下流側仕切板３１Ｂと、上流側パイプ３２Ａおよび下流側パイプ３２Ｂとは、高温の排気ガス中に常時曝されているので、排気ガスの熱を蓄熱する蓄熱体としても機能する。蓄熱して高温となったこれら蓄熱体に尿素水（または尿素水と排気ガスの混合気）が接触するので、尿素水を加熱し、その加水分解を促進することができる。
【００５２】
特に本実施形態では、上流側パイプ３２Ａおよび下流側パイプ３２Ｂを設けたので、上流側仕切板３１Ａおよび下流側仕切板３１Ｂだけを設けた場合よりも、蓄熱体の表面積ならびに蓄熱体と尿素水の接触面積を増やし、尿素水の加熱および加水分解を促進することができる。
【００５３】
本実施形態の排気浄化装置１は、密閉箱型のケーシング２内に複数回折り返す排気通路５を形成し、その排気通路５内に複数の後処理部材（触媒等）を配置したので、マフラー（消音器）としても機能する。よって別途マフラーを設けずに済み、製造コストを低減できる。
【００５４】
［第２実施形態］
次に、本発明の第２実施形態を説明する。なお第１実施形態と同様の部分には図中同一符号を付して説明を割愛し、以下、第１実施形態との相違点を主に説明する。
【００５５】
図６および図７に示すように、本実施形態は上流側パイプ３２Ａの出口部３４の構成が第１実施形態と相違する。すなわち、第１実施形態では上流側パイプ３２Ａの全体が直管状であり、その出口部３４も直管状であった。これに対し本実施形態では、上流側パイプ３２Ａの出口部３４以外は直管状であるが、出口部３４は湾曲され、曲がり管状とされている。これにより、上流側パイプ３２Ａの出口部３４と下流側パイプ３１Ｂの入口部３５とは、互いに非平行かつ非同軸の状態で配置される。
【００５６】
本実施形態において、出口部３４は、下流側パイプ３１Ｂを避けた向きに湾曲され、後方斜め左下向きになるよう湾曲されている。但し向きはこれに限らない。出口部３４は、入口部３７の中心軸Ｃ３に対しその半径方向外側に向かうよう湾曲されている。入口部３７の中心軸Ｃ３と出口部３４の中心軸Ｃ２とのなす角度すなわち湾曲角α３は、本実施形態のように鈍角とされるのが好ましい。これにより曲がりが緩くなり、排気ガスＧの流れに対する抵抗を低減できる。なお、出口部３４の中心軸Ｃ２は、出口部３４の出口端（パイプ端）の位置における中心軸により規定される。
【００５７】
本実施形態における排気ガスＧの流れは次の如きである。図６および図７に矢示するように、上流側パイプ３２Ａの出口部３４から後方斜め左下向きに排出された排気ガスＧは、第２通路管１０Ｐの内周面に沿って旋回しつつ、前方に向かって折り返し、その後後方に向かって折り返し、下流側パイプ３２Ｂの入口部３５に入る。
【００５８】
従って、前後方向に２回折り返す流れに加えて、旋回方向の流れを加えることができ、尿素水と排気ガスＧの混合を一層促進することができる。そして尿素水の加熱および加水分解を一層促進することができる。
【００５９】
その余の作用効果は第１実施形態と同様である。本実施形態の変形例に関して、下流側パイプ３２Ｂの入口部３５も湾曲させて曲がり管状とすることができる。
【００６０】
［第３実施形態］
次に、本発明の第３実施形態を説明する。
【００６１】
図８および図９に示すように、本実施形態は、下流側仕切板３１Ｂの傾斜の向き、上流側パイプ３２Ａの向き、および下流側パイプ３２Ｂの設置位置および向きが、第１実施形態と主に相違する。
【００６２】
すなわち、下流側仕切板３１Ｂの傾斜の向きは第１実施形態と逆とされ、下流側貫通孔３３Ｂおよび下流側パイプ３２Ｂが設けられる上側が下側に対し前方に位置するよう、下流側仕切板３１Ｂが傾斜されている。但し傾斜角の大きさは第１実施形態と同じα２である。これにより上流側仕切板３１Ａと下流側仕切板３１Ｂは、図８に示すように鏡面対称の如く配置される。
【００６３】
これら上流側仕切板３１Ａと下流側仕切板３１Ｂの上側かつ同じ高さ位置に、上流側貫通孔３３Ａおよび下流側貫通孔３３Ｂが設けられ、そこに直管状の上流側パイプ３２Ａと下流側パイプ３２Ｂが取り付けられている。これらパイプ同士が干渉しないよう、上流側パイプ３２Ａは、その出口部３４が後方斜め左下に向くよう若干傾斜して配置され、下流側パイプ３２Ｂは、その入口部３５が前方斜め右下に向くよう若干傾斜して配置されている。従って上流側パイプ３２Ａの出口部３４と下流側パイプ３１Ｂの入口部３５とは互いに非平行かつ非同軸の状態で配置される。
【００６４】
上流側パイプ３２Ａの出口部３４と下流側パイプ３２Ｂの入口部３５とは、そのオーバーラップ部分において互いに接触されている。接触部が溶接され、接触面積が実質的に増加されるのが好ましい。
【００６５】
なお、上流側貫通孔３３Ａおよび下流側貫通孔３３Ｂの向きが、上流側パイプ３２Ａの入口部３７および下流側パイプ３２Ｂの出口部３８に対し同軸となるよう、第１実施形態から若干変更されている。
【００６６】
本実施形態における排気ガスＧの流れは次の如きである。図８および図９に矢示するように、上流側パイプ３２Ａの出口部３４から後方斜め左下向きに排出された排気ガスＧは、第２通路管１０Ｐの内周面に沿って旋回しつつ、前方に向かって折り返し、その後後方に向かって折り返し、下流側パイプ３２Ｂの入口部３５に入る。
【００６７】
従って第２実施形態と同様、前後方向に２回折り返す流れに加えて、旋回方向の流れを加えることができ、尿素水と排気ガスＧの混合を一層促進することができる。そして尿素水の加熱および加水分解を一層促進することができる。
【００６８】
また本実施形態では、出口部３４から出て入口部３５に入るまでの間に、上流側パイプ３２Ａおよび下流側パイプ３２Ｂの下方の比較的広い空間３６を使って尿素水と排気ガスＧを混合でき、このことによっても混合を促進できる。
【００６９】
また本実施形態では、上流側パイプ３２Ａと下流側パイプ３２Ｂが互いに接触されているので、パイプ表面の空間３６内への露出面積を減少し、パイプから空間３６内への放熱を抑制し、パイプの蓄熱効果を高めることができる。なお、第１および第２実施形態においても上流側パイプ３２Ａと下流側パイプ３２Ｂを互いに接触させた変形例が可能である。
【００７０】
その余の作用効果は第１実施形態と同様である。
【００７１】
以上、本発明の実施形態を詳細に述べたが、本発明の実施形態は他にも様々考えられる。
【００７２】
（１）本発明は、上述のような密閉箱型ケーシングを有する排気浄化装置のみならず、通常の排気浄化装置にも適用可能である。
【００７３】
（２）触媒は、必ずしもＮＯｘ触媒でなくてもよく、選択還元型ＮＯｘ触媒でなくてもよい。また触媒に供給する還元剤も、触媒の種類に応じて変更可能である。
【００７４】
（３）上流側パイプおよび下流側パイプについて、その断面形状は任意であり、その内外径も一定でなくてもよく、変化してもよい。
【００７５】
（４）仕切板とパイプの組み合わせの数は、上記実施形態では二つであったが、三つ以上としてもよい。この場合、上下流側に隣り合う任意の二つの組み合わせに対して本発明が適用可能である。
【００７６】
（５）上流側パイプおよび下流側パイプは、互いに向かい合うように延びていなくてもよい。例えば上流側仕切板から後方下流側に上流側パイプが延び、下流側仕切板から後方下流側に下流側パイプが延びていてもよい。こうしても、上流側パイプの出口部と下流側パイプの入口部とが非同軸状態であれば、前者から後者に向かう排気ガスの流れに曲がりを与えることができるからである。またこうしても、両パイプによる蓄熱効果および尿素水加熱効果は相変わらず担保できるからである。
【００７７】
前述の各実施形態の構成は、特に矛盾が無い限り、部分的にまたは全体的に組み合わせることが可能である。本発明の実施形態は前述の実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【符号の説明】
【００７８】
１  排気浄化装置
５  排気通路
１０  第２通路
１４  噴射弁
２３  ＮＯｘ触媒
３１Ａ  上流側仕切板
３１Ｂ  下流側仕切板
３３Ａ  上流側貫通孔
３３Ｂ  下流側貫通孔
３２Ａ  上流側パイプ
３２Ｂ  下流側パイプ
３４  出口部
３５  入口部
３６  空間
【図１】
2019065783.tif 000003
【図２】
2019065783.tif 000004
【図３】
2019065783.tif 000005
【図４】
2019065783.tif 000006
【図５】
2019065783.tif 000007
【図６】
2019065783.tif 000008
【図７】
2019065783.tif 000009
【図８】
2019065783.tif 000010
【図９】
2019065783.tif 000011